(57)【要約】  携帯デバイスは通信インタフェースおよび通信インタフェースを介してアクセサリデバイスが接続されたかを判定するように構成するプロセッサを含む。アクセサリデバイスへの初期低電力リンクを介してアクセサリデバイスへの高帯域幅リンクを構成するように、プロセッサをさらに構成する。動作の実行に必要な場合、高帯域幅リンクを介してアクセサリデバイスに接続するように、プロセッサをさらに構成する。
2010525628.tif 000002
【特許請求の範囲】
【請求項１】
第１のデバイスと第２のデバイスとの間の高速リンクの構成要求を、該第１のデバイスと該第２のデバイスとの間の低速リンクを介して受信するステップと、
高帯域幅チャネルを前記高速リンクに割当てるステップと、
前記割当てが行われた高帯域幅チャネルに対応するチャネル識別情報を、前記低速リンクを介して前記第２のデバイスに送信するステップと、
前記第１のデバイス上の動作実行に前記高速リンクが必要か否かを判定するステップと、
前記第１のデバイス上の動作実行に前記高速リンクが必要と判定した場合、識別された前記チャネルを介して前記高速リンクを有効化するステップと、
前記第１のデバイスと前記第２のデバイスとの間で前記高速リンクを介してデータを交換するステップと
を有することを特徴とする方法。
【請求項２】
前記低速リンクを介して前記第２のデバイスを認証するステップをさらに有することを特徴とする請求項１に記載の方法。
【請求項３】
前記高帯域幅チャネルを前記高速リンクに割当てる前に、前記認証するステップを実行することを特徴とする請求項２に記載の方法。
【請求項４】
前記認証するステップは、
暗号化された認証要求を前記低速リンクを介して受信するステップと、
前記暗号化された認証要求が認可された暗号鍵を使用して暗号化されたか否かを判定するステップと、
前記暗号化された認証要求が認可された暗号鍵を使用して暗号化されたと判定した場合、前記第２のデバイスを認証するステップと
を有することを特徴とする請求項１に記載の方法。
【請求項５】
前記暗号鍵は、前記第２のデバイスの認可された製造会社に関連づけられた秘密鍵であることを特徴とする請求項４に記載の方法。
【請求項６】
前記第２のデバイスから電力充電の無効化要求を受信するステップをさらに有することを特徴とする請求項１に記載の方法。
【請求項７】
前記電力充電の無効化要求を前記低速リンクを介して受信することを特徴とする請求項６に記載の方法。
【請求項８】
前記高速リンクは、ユニバーサル・シリアル・バス（ＵＳＢ）・インタフェースを備えることを特徴とする請求項１に記載の方法。
【請求項９】
識別された前記高帯域幅チャネルはＵＳＢチャネルであり、
前記高速リンクを有効化する前記ステップは、識別された前記ＵＳＢチャネルに関連づけられたｖバスを高帯域に設定するステップを有する
ことを特徴とする請求項８に記載の方法。
【請求項１０】
前記高速リンクは、ＩＥＥＥ１３９４インタフェースを備えることを特徴とする請求項１に記載の方法。
【請求項１１】
前記第１のデバイスは携帯通信デバイスであり、前記第２のデバイスは高帯域幅アクセサリデバイスであることを特徴とする請求項１に記載の方法。
【請求項１２】
前記高帯域幅アクセサリデバイスは、携帯テレビジョン受信機と、無線ネットワーク接続アダプタとのいずれか１つを備えることを特徴とする請求項１１に記載の方法。
【請求項１３】
切断要求を受信したかを判定するステップと、
前記切断要求を受信したと判定した場合、前記高速リンクを動作無効にするステップと
をさらに有することを特徴とする請求項１に記載の方法。
【請求項１４】
前記切断要求は、前記第１のデバイス上で実行するアプリケーションからスリープコマンド受信したことを示すことを特徴とする請求項１３に記載の方法。
【請求項１５】
通信インタフェースと、
プロセッサであって、
前記通信インタフェースを介してアクセサリデバイスを接続したか否かを判定し、
前記アクセサリデバイスへの初期の低電力で低速度のリンクを介して前記アクセサリデバイスへの高帯域幅リンクを構成し、
動作実行に必要な場合、前記高帯域幅リンクを介して前記アクセサリデバイスに接続する
ように構成されたプロセッサと
を備えることを特徴とする携帯デバイス。
【請求項１６】
前記通信インタフェースはユニバーサル・シリアル・バス（ＵＳＢ）・インタフェースを備えることを特徴とする請求項１５に記載の携帯デバイス。
【請求項１７】
前記プロセッサは、前記高帯域幅リンクを構成する前に、前記アクセサリデバイスを認証するように構成されることを特徴とする請求項１５に記載の携帯デバイス。
【請求項１８】
前記認証には公開鍵による暗号認証が含まれることを特徴とする請求項１７に記載の携帯デバイス。
【請求項１９】
前記低電力で低速度のリンクは、前記高帯域幅リンクよりも必要とする電力が少ないことを特徴とする請求項１５に記載の携帯デバイス。
【請求項２０】
低電力リンクを介して第２のデバイスを第１のデバイスに対して認証する手段と、
前記第２のデバイスを前記第１のデバイスに対して認証したことに応じて、前記低電力リンクを介して前記第１のデバイスと前記第２のデバイスとの間で高帯域幅リンクを構成する手段と、
前記高帯域幅リンクを介して前記第１のデバイスを前記第２のデバイスへ接続する手段と
を備えることを特徴とするデバイス。
【発明の詳細な説明】
【技術分野】
【０００１】
本明細書に記載する実装は一般に携帯デバイス、より詳細にはアクセサリデバイスと携帯デバイスとの間の接続の確立に関する。
【背景技術】
【０００２】
アクセサリ即ち周辺デバイスは種々の電子デバイスと共に使用するので知られる。例えば、キーボード、指示デバイス、スピーカ、モニタ、ネットワークアダプタおよび同類などの周辺デバイスは接続する電子デバイスの核機能を拡張するように構成することができる。
【０００３】
種々の接続規格およびプロトコルが数年に亘り使用されているが、並列インタフェース、直列インタフェース、ユニバーサル・シリアル・バス（ＵＳＢ）・インタフェースおよびＩＥＥＥ１３９４（「ファイヤワイヤ（Firewire）」）インタフェースなどの共通インタフェースおよびプロトコルを介して他のデバイスと通信するように、多くのアクセサリデバイスが開発されている。さらに近年、無線インタフェースが情報交換のために開発された。
【発明の概要】
【課題を解決するための手段】
【０００４】
一態様によれば、方法が含みうるのは、第１のデバイスと第２のデバイスとの間の低速リンクを介する第１のデバイスと第２のデバイスとの間の高速リンクの構成要求を受信するステップ；高帯域幅チャネルを高速リンクに割当てるステップ；低速リンクを介して割当て高帯域幅チャネルに対応するチャネル識別情報を第２のデバイスに送信するステップ；第１のデバイス上の動作実行に高速リンクが必要かを判定するステップ；第１のデバイス上の動作実行に高速リンクが必要と判定した場合、識別されたチャネルを介して高速リンクを有効化するステップおよび高速リンクを介して第１のデバイスと第２のデバイスとの間でデータを交換するステップである。
【０００５】
さらに、本方法は低速リンクを介して第２のデバイスを認証するステップを含むことができる。
【０００６】
さらに、認証するステップを実行し、その後高帯域幅チャネルを高速リンクに割当てることができる。
【０００７】
さらに、認証するステップが含みうるのは、低速リンクを介して暗号化された認証要求を受信するステップ；暗号化された認証要求が認可された暗号鍵を使用して暗号化されたかを判定するステップおよび暗号化された認証要求が認可された暗号鍵を使用して暗号化されたと判定した場合、第２のデバイスを認証するステップである。
【０００８】
さらに、暗号鍵は第２のデバイスの認可された製造会社に関連づけられた秘密鍵でありうる。
【０００９】
さらに、本方法は第２のデバイスから電力充電の無効化要求を受信するステップを含むことができる。
【００１０】
さらに、低速リンクを介して電力充電の無効化要求を受信することができる。
【００１１】
さらに、高速リンクはユニバーサル・シリアル・バス（ＵＳＢ）・インタフェースを含むことができる。
【００１２】
さらに、識別された高速チャネルはＵＳＢチャネルを含むことができ、高速リンクを有効化するステップは識別されたＵＳＢチャネルに関連づけられたｖバスを高帯域に設定するステップを含むことができる。
【００１３】
さらに、高速リンクはＩＥＥＥ１３９４インタフェースを含むことができる。
【００１４】
さらに、第１のデバイスは携帯通信デバイスを含むことができ、第２のデバイスは高帯域幅アクセサリデバイスを含むことができる。
【００１５】
さらに、高帯域幅アクセサリデバイスは携帯テレビジョン受信機または無線ネットワーク接続アダプタの１つを含むことができる。
【００１６】
さらに、本方法は切断要求を受信したかを判定するステップおよび切断要求を受信したと判定した場合、高速リンクを動作無効にするステップを含むことができる。
【００１７】
さらに、切断要求は第１のデバイス上で実行するアプリケーションからスリープコマンド受信したことを示すことができる。
【００１８】
第２の態様では、携帯デバイスが含みうるのは、通信インタフェースおよび通信インタフェースを介してアクセサリデバイスを接続したかを判定し；アクセサリデバイスへの初期低電力リンクを介してアクセサリデバイスへの高帯域幅リンクを構成し、動作実行に必要な場合、高帯域幅リンクを介してアクセサリデバイスに接続するように構成するプロセッサである。
【００１９】
さらに、通信インタフェースはユニバーサル・シリアル・バス（ＵＳＢ）・インタフェースを含むことができる。
【００２０】
さらに、アクセサリデバイスを認証し、その後高帯域幅リンクを構成するように、プロセッサをさらに構成することができる。
【００２１】
さらに、認証は公開鍵による暗号認証を含むことができる。
【００２２】
さらに、低電力リンクは高帯域幅リンクより少ない電力を必要としうる。
【００２３】
第３の態様では、デバイスが含みうるのは、低電力リンクを介する第１のデバイスに対する第２のデバイスの認証手段；第１のデバイスに対する第２のデバイスの認証時の低電力リンクを介する第１のデバイスと第２のデバイスとの間の高帯域幅リンクの構成手段および高帯域幅リンクを介する第１のデバイスの第２のデバイスへの接続手段である。
【図面の簡単な説明】
【００２４】
本明細書に組込み、本明細書の一部を構成する添付図面は本発明の実施形態を説明し、発明を実施するための形態と共に本発明を説明する。
【図１】以下で説明するシステムおよび方法を実装することができる例示システムの図である。
【図２】図１の例示携帯デバイスの図である。
【図３】図１の例示アクセサリデバイスの図である。
【図４Ａ】、
【図４Ｂ】図１の携帯デバイスとアクセサリデバイスとの間の通信を構成する例示処理フローチャートである。
【発明を実施するための形態】
【００２５】
本発明の以下の詳細な説明では添付する図面を参照する。異なる図面の同じ参照番号は同じかまたは類似要素を識別することができる。また、以下の詳細な説明は本発明を限定しない。
【００２６】
システムおよび方法は携帯デバイスとアクセサリデバイスとの間の高帯域幅チャネルの構成を説明する。第１のデバイス（例えば、携帯電話機）を第２のデバイス（例えば、携帯テレビジョン受信機）に接続する。第１のデバイスは第２のデバイスを認証することができ、低電力リンクを介して第２のデバイスから構成要求を受信することができる。第１のデバイスと第２のデバイスとの間のデータ交換を容易にするのに必要な場合、低電力リンクを介して高帯域幅チャネルを構成し、有効化することができる。
【００２７】
（例示システム）
図１は本明細書で説明するシステムおよび方法を実装することができる例示システム１００の図である。図１に示すように、システム１００は携帯デバイス１０５および高帯域幅アクセサリデバイス１１０を含むことができる。携帯デバイス１０５が含みうるのは、ディスプレイ１１５、キーパッド１２０、スピーカ１２５およびマイクロフォン１３０である。携帯デバイス１０５およびアクセサリデバイス１１０はそのそれぞれの機能に応じた追加構成要素および特徴を含むことができる。
【００２８】
携帯デバイス１０５が含みうるのは、セルラ無線電話機、セルラ無線電話機をデータ処理、ファクシミリおよびデータ通信能力と結合することができるパーソナル通信システム（ＰＣＳ、Personal Communications System）、パーソナル・ディジタル・アシスタンツ（ＰＤＡｓ、Personal Digital Assistants）、ラップトップおよび／またはパームトップコンピュータ、ディジタル音楽および／またはビデオプレイヤなどのパーソナルまたはポータブル・メディア・プレイヤおよび／またはその他の類似タイプのデバイスなどの任意の多様な電子デバイスである。
【００２９】
高帯域幅アクセサリデバイス１１０は携帯デバイス１０５と共に動作し、携帯デバイス１０５の機能性を増加するように構成するデバイスを含むことができる。適する高帯域幅アクセサリデバイス１１０の例が含みうるのは、ネットワーク・アダプタ・デバイス、テレビジョンおよび／またはラジオ受信機、外部格納デバイス、などである。
【００３０】
以下で説明する一実装では、ユニバーサル・シリアル・バス（ＵＳＢ）・プロトコルまたはＩＥＥＥ１３９４（「ファイヤワイヤ（Firewire）」）プロトコルなどの幾つかの通信プロトコル即ち「ベアラ」を使用して、携帯デバイス１０５は高帯域幅アクセサリデバイス１１０と通信することができる。
【００３１】
（例示携帯デバイス構成）
図２は携帯デバイス１０５の例示構成要素を説明する図である。図２に示すように、携帯デバイス１０５が含みうるのは、処理ロジック２０５、メモリ２１０、入力デバイス２１５、出力デバイス２２０、電力供給２２５、無線通信機２３０、高帯域幅インタフェース２３５およびアンテナ２４０である。分かるであろうことは、携帯デバイス１０５がデータの受信、送信、および／または処理を支援するその他の（図示しない）構成要素を含むことができることである。さらに、その他の構成が可能であることが分かるであろう。
【００３２】
処理ロジック２０５が含みうるのは、任意のタイプのプロセッサ、マイクロプロセッサまたは命令を解釈、実行しうるプロセッサの組み合わせである。その他の実装では、処理ロジック２０５が実装するかまたは含みうるのは、アプリケーション専用集積回路（ＡＳＩＣ、application specific integrated circuit），フィールド・プログラマブル・ゲート・アレイ（ＦＰＧＡ、field programmable gate array）または同類である。メモリ２１０が含みうるのは、ランダム・アクセス・メモリ（ＲＡＭ、random access memory）または処理ロジック２０５により実行する情報および命令を格納しうる別のタイプの動的格納デバイス、読取り専用メモリ（ＲＯＭ、read only memory）または処理ロジック２０５のための静的情報および命令を格納しうる別のタイプの静的格納デバイスおよび／またはあるその他のタイプの磁気または光記録媒体並びに情報および／または命令を格納するその対応ドライブである。
【００３３】
本明細書で説明する態様と合致してメモリ２１０が含みうるのは、高帯域幅インタフェース２３５を介して高帯域幅アクセサリデバイス１１０の構成および動作を有効化するのに適するアプリケーションおよびドライバである。例示アプリケーションは携帯テレビジョンの受信および無線ネットワーク接続アプリケーションを含むことができる。高帯域幅インタフェース２３５を介してこれらのアプリケーションを実装するのに適するドライバを提供することができる。インタフェース２３５を介して受信するデータと共に、これらのドライバがアプリケーションをサポートする場合、高帯域幅アクセサリデバイス１１０内に実装するハードウェアを考慮すると、これらのドライバは汎用ドライバでありうる。
【００３４】
入力デバイス２１５が含みうるのは、インタフェースポート、キーパッド、キーボード、マウス、ペン、マイクロフォン、１つまたは複数の生物測定機構および同類などの携帯デバイス１０５にユーザが情報を入力するのを許容するデバイスである。一例示実装では、入力デバイス２１５はＵＳＢまたはＩＥＥＥ１３９４インタフェースなどの高速インタフェース２３５を含むことができる。出力デバイス２２０が含みうるのは、ディスプレイ、プリンタ、スピーカ、などのようにユーザに情報を出力するデバイスである。電力供給２２５は携帯デバイス１０５の構成要素に電力を供給するバッテリまたは同類を含むことができる。
【００３５】
無線通信機２３０が含みうるのは、セルラ無線電話プロトコル（例えば、ＧＳＭ（global system for mobile communications、移動通信グローバルシステム）、ＰＣＳ（personal communication services、パーソナル通信サービス）、ＦＤＭＡ（frequency division multiple access、周波数分割多元接続）、ＣＤＭＡ（code division multiple access、符号分割多元接続）、ＴＤＭＡ（time division multiple access、時分割多元接続）、など）のような無線通信プロトコルを使用してデータおよび制御信号を送信および受信することができる通信機デバイスである。追加実装で、無線ロジック２３０が使用しうるのは、ブルートゥースプロトコル、１つまたは複数のＩＥＥＥ８０２．１１プロトコル、ＷｉＭａｘプロトコル、超高帯域プロトコルまたは高帯域幅インタフェース２３５により使用するプロトコルなどの任意の他の適する無線通信プロトコルなどの短距離無線通信プロトコルである。アンテナ２４０は例えば１つまたは複数の方向性アンテナおよび／または全方向性アンテナを含むことができる。
【００３６】
図３は高帯域幅アクセサリデバイス１１０の例示図である。図示するように、高帯域幅アクセサリデバイス１１０が含みうるのは、処理ロジック３０５、メモリ３１０、入力デバイス３１５、出力デバイス３２０、高帯域幅インタフェース３２５、無線通信機３３０およびアンテナ３３５である。分かるであろうことは、高帯域幅アクセサリデバイス１１０がデータの受信、送信、および／または処理を支援するその他の（図示しない）構成要素を含むことができることである。さらに、その他の構成が可能であることが分かるであろう。
【００３７】
以上で説明した処理ロジック２０５のように、処理ロジック３０５がまた含みうるのは、任意のタイプのプロセッサ、マイクロプロセッサまたは命令を解釈、実行しうるプロセッサの組み合わせである。以下でさらに詳細に説明することにするように、無線通信機３３０を介してデータを受信し、高帯域幅インタフェース３２５を介して携帯デバイス１０５に配信するデータをフォーマット化するように、処理ロジック３０５を構成することができる。さらに、インタフェース３２５を介して携帯デバイス１０５と１つまたは複数の通信リンクを確立するように、処理ロジック３０５を構成することができる。
【００３８】
メモリ３１０が含みうるのは、ランダム・アクセス・メモリ（ＲＡＭ）または処理ロジック３０５により実行する情報および命令を格納しうる別のタイプの動的格納デバイス、読取り専用メモリ（ＲＯＭ）または処理ロジック３０５のための静的情報および命令を格納しうる別のタイプの静的格納デバイスおよび／またはあるその他のタイプの磁気または光記録媒体並びに情報および／または命令を格納するその対応ドライブである。
【００３９】
入力デバイス３１５が含みうるのは、１つまたは複数のボタンを持つキーパッド、キーボード、マウス、ペン、マイクロフォン、１つまたは複数の生物測定機構および同類などの高帯域幅アクセサリデバイス１１０にユーザが情報またはコマンドを入力するのを許容するデバイスである。出力デバイス３２０が含みうるのは、高帯域幅インタフェース３２５を介して携帯デバイス２０５にデータを出力するデバイスである。
【００４０】
無線通信機３３０が含みうるのは、適する通信プロトコルを使用して高帯域幅アクセサリデバイス１１０とＲＦ送信機、パーソナルコンピュータ、ＰＤＡ、などのその他のデバイスとの間のデータおよび制御信号の交換を可能にすることができる送信機および受信機である。例示通信プロトコルが含みうるのは、ディジタルテレビジョン伝送プロトコル（例えば、ＤＶＢ−Ｈ）および／または８０２．ｘ系列の無線ネットワーク接続プロトコル（例えば、ＷｉＦｉ、超高帯域、ＷｉＭａｘ、ブルートゥース、Ｚｉｇｂｅｅ、など）のような無線通信プロトコルである。アンテナ３３５は例えば１つまたは複数の方向性アンテナおよび／または全方向性アンテナを含むことができる。
【００４１】
以下で詳細に説明することにするように、それぞれインタフェース２３５および３２５を介して高帯域幅アクセサリデバイス１１０と通信することにより、携帯デバイス１０５はその機能性を向上させることができる。以下でさらに詳細に説明することにするように、携帯デバイス２０５の処理ロジック２０５および高帯域幅アクセサリデバイス１１０の処理ロジック３０５はそれぞれインタフェース２３５および３２５を介して初期低帯域幅リンクを確立することができる。このような低帯域幅リンクは構成および維持するために電力供給２２５からより少ない電力を必要とするように構成する低電力リンクでありうる。低帯域幅リンクの作成に次いで、高帯域幅アクセサリデバイス１１０から携帯デバイス１０５への高帯域幅データの能率的配信の有効化が必要な場合、高帯域幅リンクを構成し、有効化することができる。
【００４２】
一例示実装では、高帯域幅アクセサリデバイス１１０は無線ネットワーク接続能力（例えば、ＷｉＦｉ能力）を携帯デバイス１０５に提供するように構成する無線ネットワーク接続アダプタを含むことができる。低帯域幅リンクを介して高帯域幅リンクを設定すると、高帯域幅リンクの動作無効化後、追加携帯またはネットワーク接続デバイスを高帯域幅アクセサリデバイス１１０に接続することができる。
【００４３】
追加実装では、高帯域幅アクセサリデバイス１１０はテレビジョン受信機を含むことができ、テレビジョン受信機を携帯デバイス１０５で視聴／記録するためにリアルタイムビデオ同報データを携帯デバイス１０５に提供するように構成する。
【００４４】
携帯デバイス１０５および高帯域幅アクセサリデバイス１１０が実行しうるのは、それぞれ処理ロジック２０５および３０５に応じてそれぞれメモリ２１０または３１０などのコンピュータが読むことのできる媒体に含むソフトウェア命令を実行するこれらおよびその他の演算である。コンピュータが読むことのできる媒体は物理またはロジックメモリデバイスおよび／または搬送波と定義することができる。
【００４５】
例えば無線通信機２３０または入力デバイス２１５を介して別のコンピュータが読むことのできる媒体または別のデバイスから、ソフトウェア命令をメモリ２１０に読込むことができる。メモリ２１０に含むソフトウェア命令は処理ロジック２０５および処理ロジック３０５が後に説明することにする処理を実行するようにすることができる。あるいは、ハード結線回路をソフトウェア命令の代わりに、またはソフトウェア命令と組み合わせて使用し、本発明の原理に合致する処理を実装することができる。従って、本発明の原理に合致する実装はハードウェア回路およびソフトウェアの特定の組み合わせに限定しない。
【００４６】
（例示処理）
図４Ａおよび図４Ｂは携帯デバイス１０５とアクセサリデバイス１１０との間の通信を容易にする例示処理フローチャートである。処理は例えばインタフェース２３５および３４０を介して携帯デバイス１０５とアクセサリデバイス１１０との間の物理接続の確立で開始することができる。例えば、ＵＳＢまたはＩＥＥＥ１３９４ケーブルなどの適するケーブルは携帯デバイス１０５のインタフェース２３５とアクセサリデバイス１１０のインタフェース３４０との間を接続することができる。
【００４７】
一度物理的に接続すると、インタフェース２３５および３４０の低帯域幅リンクを介してアクセサリデバイス１１０と携帯デバイス１０５との間でハンドシェーク動作を実行することができる（ブロック４００）。種々の実装では、ハンドシェーク動作はアクセサリデバイス１１０により開始することができるが、その他の実装では、ハンドシェーク動作は携帯デバイス１０５により開始することができる。一例示実装では、ハンドシェーク動作は携帯デバイス１０５に対し、その後追加アクセサリ専用メッセージまたは信号通信に対するアクセサリデバイス１１０を認証することができる。例えば、アクセサリデバイス１１０は認可されたアクセサリ製造会社にのみ既知のプライベート暗号鍵を使用してハンドシェークメッセージを暗号化することができる。暗号化ハンドシェークメッセージを受信すると、公開鍵または共有秘密鍵などの対応暗号鍵を使用して、携帯デバイス１０５はハンドシェークメッセージを暗号解除することができる。ハンドシェークメッセージを成功裡に暗号解除すると、携帯デバイス１０５はアクセサリデバイス１１０が認可されたデバイスであると信じることができる。ＲＳＡ公開鍵暗号化アルゴリズムまたはディフィ−ヘルマン（Diffie-Hellman）鍵交換プロトコルなどの任意の適する暗号／暗号解除手法を使用することができる。
【００４８】
一実装では、高帯域幅インタフェース２３５を介してアクセサリデバイス１１０により携帯デバイス１０５に送信する１つまたは複数の適するＡＴ即ち「注意」コマンドにより、ハンドシェーク動作を開始することができる。既知のごとく、種々のＡＴコマンドを携帯デバイス１０５により認識し、一定の機能を開始するか、または携帯デバイス１０５に情報を提供することができる。ＡＴコマンドの例はそれぞれのコマンドに関連づけられた変数をさらに定義するパラメータ値を含むことができる。
【００４９】
ハンドシェーク動作が成功であったかを判定することができる（ブロック４０５）。ハンドシェーク動作が成功でなかったならば（ブロック４０５−いいえ）、処理は終了することができ、アクセサリデバイス１１０と携帯デバイス１０５との間で追加アクセサリの設定並びに制御メッセージおよびデータを交換することはできない。
【００５０】
しかしながらハンドシェーク動作が成功であったならば（ブロック４０５−はい）、インタフェース２３５を介する携帯デバイス１０５の充電を無効化することができる（ブロック４１０）。多くの携帯デバイス１０５が利用するのは、携帯デバイスのバッテリ充電および複数デバイス間のデータおよび／または情報交換双方のための共通インタフェースポートである。この実装で、携帯デバイス１０５はインタフェース２３５を介して接続するホストデバイスから電力を典型的に得るように構成する隷属デバイスとして動作することができる。アクセサリデバイス１１０はバッテリ充電機能を実行しないので、この特徴を動作無効にすることができる。
【００５１】
携帯デバイス１０５はアクセサリデバイス１１０から高帯域幅チャネル要求を受信することができる（ブロック４１５）。一実装では、この要求はアップリケーション（またはアップリケーションをサポートするプロトコル）を指定することができ、そのデータをチャネル（例えば、無線ＬＡＮデータ、媒体、など）およびチャネルをサポートするであろう下位ベアラ（例えば、ＵＳＢ、ＩＥＥＥ１３９４、など）を介して送信することになろう。対応して、携帯デバイス１０５は高帯域幅チャネル（例えば、ポート）を割当て（ブロック４２０）、割当てチャネルを識別する応答をアクセサリデバイス１１０に返信することができる（ブロック４２５）。この点で高帯域幅チャネルを割当てるが、チャネルはなお有効に接続されていない。低帯域幅リンクに対し高帯域幅チャネルを動作させる電力要求は大きいので、これは大きなバッテリ即ち電力節約になる。
【００５２】
チャネルの詳細を受信すると、携帯デバイス１０５はアクセサリデバイス１１０から高帯域幅チャネルを介して通信する接続要求を携帯デバイス１０５から受信する準備があることの指示を受信することができる（ブロック４３０）。一実装では、プロセッサ２０５により実行するテレビジョンアプリケーションまたはネットワーク接続アプリケーションなどのアプリケーションにより、この要求を開始することができる。例えば携帯テレビジョンのアクセサリデバイス１１０に関する物理接続に続き、携帯デバイス１０５のユーザは携帯テレビジョンのアプリケーションを送出することができる。携帯テレビジョンのアプリケーションは携帯テレビジョンのアクセサリデバイス１１０への接続要求の送信を開始することができる（ブロック４３５）。
【００５３】
対応して、携帯デバイス１０５は高帯域幅インタフェースを設定したことの指示を受信することができる（ブロック４４０）。一実装では、この指示はインタフェース２３５に関連づけられたｖバスまたはその他の電力ソースを高帯域幅に設定したことを示すことができる。高帯域幅チャネルをサポートする下位ベアラ（例えば、ＵＳＢ、ＩＥＥＥ１３９４、など）に応じて、追加ハンドシェークおよび設定メッセージの送信を実行することができる。携帯デバイス１０５は高帯域幅チャネルを接続したことを示すコマンドをアクセサリデバイス１１０から受信することができる（ブロック４４５−図４Ｂ）。この点で、高帯域幅チャネルは有効であり、アプリケーションの実行およびその下位プロトコルは動作し、それぞれインタフェース３４０および２３５を介してアクセサリデバイス１１０と携帯デバイス１０５との間で情報を交換する（ブロック４５０）。
【００５４】
一実装では、下位アプリケーションはメモリ２１０に維持する１つまたは複数のドライバと相互動作することができる。これらのドライバは高帯域幅インタフェースを介してアクセサリデバイス１１０と一般に相互動作するように構成する。携帯デバイス１０５に所在するドライバと共に、アクセサリデバイス１１０の対応するハードウェア専用ドライバは高帯域幅チャネルを介して携帯デバイス１０５のドライバと情報を交換するように構成する。アクセサリデバイス１１０を携帯デバイス１０５から分離することにより、ハードウェアレベルの決定を携帯デバイス１０５から分離することができ、それにより携帯デバイス１０５に対し対応する変更を行うことなく、アクセサリデバイス１１０に対するその後の高度化および改良を可能にする。
【００５５】
本明細書で説明する態様に合致する一実装では、ボタンまたはその他のインタフェースコマンド若しくはポータブルハンドフリー（ＰＨＦ、portable handsfree）オーディオコマンドを高帯域幅チャネルの動作中に受信することができる。このようなコマンドは適するＡＴコマンドまたは同類を使用して低帯域幅リンクを介して受信することができる。例えば携帯テレビジョンの例では、チャネルおよび音量変更ボタンをアクセサリデバイス１１０に設けることができる。これらのボタンの選択により低帯域幅リンクを介して携帯デバイス１０５において対応コマンドを受信することになりうる。同様に、アクセサリデバイス１１０はスピーカまたはハンドセットなどのオーディオデバイスを含むことができる。アクセサリデバイス１１０の物理接続によりオーディオを携帯デバイス１０５からＰＨＦデバイスを含むことができるアクセサリデバイス１１０にルーティングすることになりうる。
【００５６】
アクセサリデバイス１１０を分離したかを次いで判定することができる（ブロック４５５）。分離したとすれば、高帯域幅チャネルを切断し、それにより携帯デバイスを低電力モードに戻す（ブロック４６０）。処理はブロックに戻る。
【００５７】
アクセサリデバイス１１０を分離しなかったとすれば、アプリケーション実行からのスリープ要求の受信に応じてアプリケーションの終了、などの切断コマンドをアクセサリデバイス１１０に送信したかを判定することができる（ブロック４６５）。一例示実装でアクセサリデバイス１１０が含みうるのは、追加携帯デバイスに対するアドホック無線ネットワークを提供または生じるように構成する無線ＬＡＮアダプタなどのネットワークアダプタである。クライアントデバイスがアドホック無線ネットワークに接続していないと判定すると、携帯デバイス１０５は高帯域幅チャネルを切断する対応コマンドを出すことができ、それにより電力を節約する。代替実装では、切断コマンドをアクセサリデバイス１１０により発生することができる。
【００５８】
切断コマンドをアクセサリデバイス１１０に送信していなかったとすれば（ブロック４６５−いいえ）、処理は継続するデータ／媒体交換のためブロック４５０に戻る。しかしながら切断またはスリープコマンドをアクセサリデバイス１１０に送信していたとすれば（ブロック４６５−はい）、コマンドのアクノレッジメントをアクセサリデバイスから受信することができる（ブロック４７０）。携帯デバイス１０５は次いで高帯域幅チャネルをアクセサリデバイスにより終了したことの指示を受信することができる（ブロック４７５）。一実装では、高帯域幅チャネルの切断はインタフェース２３５に関連づけられたｖバスを低帯域幅に戻すことを含むことができる。処理は次いでブロック４３０に戻る（図４Ａ）。
【００５９】
上記デバイスの追加例示実装および対応処理は付録ＡおよびＢとして本明細書に添付する。各付録の内容を参照により本明細書に組み込む。
【００６０】
共通ベアラインタフェースを介する２重電力レベルリンクの提供により、高帯域幅アクセサリデバイスを初期低電力モードにおいて構成し、設定することができる。高帯域幅モードを確立しうるのは、アクセサリデバイスおよびその下位アプリケーションの機能性のサポートが必要な場合のみである。さらに、初期ハンドシェーク動作を実行しうるのは、アクセサリデバイスを認証し、その後高帯域幅リンクを確立するためである。
【００６１】
（結び）
本明細書で説明する実装により携帯デバイスの高帯域幅アクセサリをサポートするシステムおよび方法を提供することができる。一実装では、アクセサリデバイスは低電力リンクを介して認証し、設定することができる。高帯域幅リンクを確立しうるのは、低電力リンクを介して受信するコマンドによる高帯域幅リンクの有効化により必要な場合のみである。
【００６２】
本発明の好ましい実施形態に関する以上の説明は例図および説明を記述するが、全般的であるか、または本発明を開示する正確な形式に限定する意図はない。修正および変形は以上の教示に照らして可能であるか、または本発明の実施から得ることができる。
【００６３】
例えば、以上の説明は携帯テレビジョン受信およびネットワークアダプタをサポートするアクセサリデバイスを中心としたが、追加アクセサリデバイスを実装することができることが理解されるであろう。さらに、ＵＳＢおよびＩＥＥＥなどのベアラプロトコルを識別したが、私設直列プロトコル、赤外線プロトコル、などのような追加ベアラプロトコルをまた実装することもできる。
【００６４】
図４Ａおよび図４Ｂを考慮して一連の動作を説明したが、本発明の原理に合致する他の実装では、動作順序を修正することができる。さらに、非従属動作を並列に実行することができる。
【００６５】
当業者にとり明らかであろうことは、上記のごとく本発明の態様は図に示す実装の多くの異なる形式のソフトウェア、ファームウェアおよびハードウェアにおいて実装することができることである。本発明の原理に合致する態様の実装に使用する実際のソフトウェアコードまたは特定制御ハードウェアは本発明を限定するものではない。従って、態様の動作および振舞いを特定のソフトウェアコードを参照することなく説明した−−本明細書の説明に基づき態様を実装するソフトウェアおよび制御ハードウェアを設計することが可能でありうることが分かる。
【００６６】
さらに、本発明のある一部を１つまたは複数の機能を実行する「ロジック（論理）」として実装することができる。このロジックが含みうるのは、アプリケーション専用集積回路またはフィールド・プログラマブル・ゲート・アレイなどのハードウェア、ソフトウェアまたはソフトウェアとハードウェアの組み合わせである。
【００６７】
強調すべきことは、本明細書において使用する場合、用語「含む／含んでいる」は記述する特徴、整数、ステップまたは構成要素の存在を明記すると解釈するが、１つまたは複数のその他の特徴、整数、ステップ、構成要素またはそれらのグループの存在若しくは追加を排除しないことである。
【００６８】
本アプリケーションで使用する要素、動作または命令はそのように明確に説明しない限り本発明に重要または本質的であると解釈すべきではない。また本明細書で使用するように、冠詞「ａ」は１つまたは複数の項目を含むことを意図する。１つの項目のみを意図する場合、用語「１つの」または類似の言葉を使用する。さらに、語句「基づいて」は明確に他のように記述しない限り「少なくとも一部基づいて」を意味することを意図する。
【図１】
2010525628.tif 000003
【図２】
2010525628.tif 000004
【図３】
2010525628.tif 000005
【図４Ａ】
2010525628.tif 000006
【図４Ｂ】
2010525628.tif 000007
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
第１のデバイスと第２のデバイスとの間の高速リンクの構成要求を、該第１のデバイスと該第２のデバイスとの間の低速リンクを介して受信するステップと、
高帯域幅チャネルを前記高速リンクに割当てるステップと、
前記割当てが行われた高帯域幅チャネルに対応するチャネル識別情報を、前記低速リンクを介して前記第２のデバイスに送信するステップと、
前記第１のデバイス上の動作実行に前記高速リンクが必要か否かを判定するステップと、
前記第１のデバイス上の動作実行に前記高速リンクが必要と判定した場合、識別された前記チャネルを介して前記高速リンクを有効化するステップと、
前記第１のデバイスと前記第２のデバイスとの間で前記高速リンクを介してデータを交換するステップと
を有することを特徴とする方法。
【請求項２】
前記低速リンクを介して前記第２のデバイスを認証するステップをさらに有し、
前記高帯域幅チャネルを前記高速リンクに割当てる前に、前記認証するステップを実行する
ことを特徴とする請求項１に記載の方法。
【請求項３】
前記認証するステップは、
暗号化された認証要求を前記低速リンクを介して受信するステップと、
前記暗号化された認証要求が認可された暗号鍵を使用して暗号化されたか否かを判定するステップと、
前記暗号化された認証要求が認可された暗号鍵を使用して暗号化されたと判定した場合、前記第２のデバイスを認証するステップと
を有し、
前記暗号鍵は、前記第２のデバイスの認可された製造会社に関連づけられた秘密鍵である
ことを特徴とする請求項２に記載の方法。
【請求項４】
前記第２のデバイスから電力充電の無効化要求を受信するステップをさらに有し、
前記電力充電の無効化要求を前記低速リンクを介して受信する
ことを特徴とする請求項１に記載の方法。
【請求項５】
前記高速リンクは、ユニバーサル・シリアル・バス（ＵＳＢ）・インタフェースを備え、
識別された前記高帯域幅チャネルはＵＳＢチャネルであり、
前記高速リンクを有効化する前記ステップは、識別された前記ＵＳＢチャネルに関連づけられたｖバスを高帯域に設定するステップを有する
ことを特徴とする請求項１に記載の方法。
【請求項６】
切断要求を受信したかを判定するステップと、
前記切断要求を受信したと判定した場合、前記高速リンクを動作無効にするステップと
をさらに有し、
前記切断要求は、前記第１のデバイス上で実行するアプリケーションからスリープコマンド受信したことを示す
ことを特徴とする請求項１に記載の方法。
【請求項７】
通信インタフェースと、
プロセッサであって、
前記通信インタフェースを介してアクセサリデバイスを接続したか否かを判定し、
前記アクセサリデバイスへの初期の低電力で低速度のリンクを介して前記アクセサリデバイスへの高帯域幅リンクを構成し、
動作実行に必要な場合、前記高帯域幅リンクを介して前記アクセサリデバイスに接続する
ように構成されたプロセッサと
を備えることを特徴とする携帯デバイス。
【請求項８】
前記プロセッサは、前記高帯域幅リンクを構成する前に、前記アクセサリデバイスを認証するように構成され、
前記認証には公開鍵による暗号認証が含まれる
ことを特徴とする請求項７に記載の携帯デバイス。
【請求項９】
前記低電力で低速度のリンクは、前記高帯域幅リンクよりも必要とする電力が少ないことを特徴とする請求項７に記載の携帯デバイス。
【請求項１０】
低電力リンクを介して第２のデバイスを第１のデバイスに対して認証する手段と、
前記第２のデバイスを前記第１のデバイスに対して認証したことに応じて、前記低電力リンクを介して前記第１のデバイスと前記第２のデバイスとの間で高帯域幅リンクを構成する手段と、
前記高帯域幅リンクを介して前記第１のデバイスを前記第２のデバイスへ接続する手段と
を備えることを特徴とするデバイス。
【国際調査報告】
2010525628.tif 000008
2010525628.tif 000009